(57)【要約】【課題】  コンテンツ提供者の意図及びユーザの好みを反映させたコンテンツの提供を可能にする。【解決手段】  情報配信サーバから配信されるコンテンツを受信する放送情報受信部１０１と、ユーザに関わる情報を記憶する情報記憶部１０４と、前記コンテンツから、他のコンテンツの所在を示すリンク情報と、属性情報の付加を要求する旨を示す要求情報と、を抽出するリンク情報解析部１０２と、前記要求情報に基づき、前記情報記憶部が記憶するユーザに関わる情報を参照して、ユーザに関わる評価情報を生成する評価情報生成部１０３と、生成した属性情報を付加して、前記他のコンテンツの配信要求を行うコンテンツ要求部１０８と、受信したコンテンツを再生処理する情報再生処理部１０５とを備える。【選択図】  図２
2006119873.tif 000002
【特許請求の範囲】
【請求項１】
情報配信サーバから配信されるコンテンツを受信する情報受信部と、
ユーザに関わる情報を記憶する情報記憶部と、
前記コンテンツから、他のコンテンツの所在を示すリンク情報と、属性情報の付加を要求する旨を示す要求情報と、を抽出するリンク情報解析部と、
前記要求情報に基づき、前記情報記憶部が記憶するユーザに関わる情報を参照して、ユーザに関わる属性情報を生成する属性情報生成部と、
生成した属性情報を付加して、前記他のコンテンツの配信要求を行う情報要求部と、
受信したコンテンツを再生処理する情報再生処理部と、
を備える情報端末。
【請求項２】
前記属性情報生成部は、前記情報記憶部が記憶するコンテンツのカテゴリ毎に評価した情報を参照して、ユーザに関わる評価情報を生成する請求項１記載の情報端末。
【請求項３】
前記属性情報生成部は、前記情報記憶部が記憶する場所に関わる情報を参照して、ユーザに関わる評価情報を生成する請求項１記載の情報端末。
【請求項４】
他のコンテンツの所在を示すリンク情報と、属性情報の付加を要求する旨を示す要求情報と、を含むコンテンツを配信する情報配信部と、
前記リンク情報に基づくコンテンツの配信要求を受信する要求受信部と、
前記要求情報に基づいて前記配信要求に付加されたユーザに関わる属性情報の解析結果に基づいて、コンテンツを生成する情報生成部と、
生成したコンテンツを、前記配信要求を送信した情報端末に送信する情報送信部と、
を備える情報配信サーバ。
【請求項５】
前記配信要求に付加されたユーザに関わる属性情報は、コンテンツのカテゴリに関わる情報であり、
前記情報生成部は、前記カテゴリに関わる情報の解析結果に基づいて、コンテンツを生成する請求項４記載の情報配信サーバ。
【請求項６】
前記配信要求に付加されたユーザに関わる属性情報は、場所に関わる情報であり、
前記情報生成部は、前記場所に関わる情報の解析結果に基づいて、コンテンツを生成する請求項４記載の情報配信サーバ。
【請求項７】
情報配信サーバがコンテンツを情報端末に配信する情報配信方法であって、
他のコンテンツの所在を示すリンク情報と、属性情報の付加を要求する旨を示す要求情報と、を含むコンテンツを受信した前記情報端末が送信した、前記リンク情報に基づくコンテンツ配信要求に付加されたユーザに関わる属性情報の解析結果に基づいて生成したコンテンツを、前記配信要求を送信した情報端末に送信する情報配信方法。
【発明の詳細な説明】
【技術分野】
【０００１】
本発明は、放送的にコンテンツを配信する技術に関する。
【背景技術】
【０００２】
従来、放送的に配信されるコンテンツの中からユーザが所望するコンテンツを収集する情報端末がある（例えば、特許文献１）。特許文献１の情報端末は、コンテンツを記録するメモリと、メモリに記録すべきコンテンツの情報条件を予め設定する情報条件設定手段と情報条件に該当するコンテンツのみをメモリに記録するフィルタリング手段と、メモリに記録されたコンテンツを閲覧する閲覧操作手段とを有し、ユーザの所望するコンテンツを収集する。
【０００３】
【特許文献１】特開２００２−１７６４０３号公報
【発明の開示】
【発明が解決しようとする課題】
【０００４】
しかしながら、上記従来の情報端末は、コンテンツを受信する際、ユーザが設定入力した特定のカテゴリ情報やキーワードに基づいて放送コンテンツをフィルタリングするものであり、配信側が意図したとおりのフィルタリングやユーザにとって最適なフィルタリングが行われているとは限らない。
【０００５】
本発明は、上記事情に鑑みてなされたものであって、コンテンツ提供者の意図及びユーザの好みを反映させたコンテンツの提供を可能にする情報端末、情報配信サーバ及び情報配信方法を提供することを目的とする。
【課題を解決するための手段】
【０００６】
本発明の情報端末は、情報配信サーバから配信されるコンテンツを受信する情報受信部と、ユーザに関わる情報を記憶する情報記憶部と、前記コンテンツから、他のコンテンツの所在を示すリンク情報と、属性情報の付加を要求する旨を示す要求情報と、を抽出するリンク情報解析部と、前記要求情報に基づき、前記情報記憶部が記憶するユーザに関わる情報を参照して、ユーザに関わる属性情報を生成する属性情報生成部と、生成した属性情報を付加して、前記他のコンテンツの配信要求を行う情報要求部と、受信したコンテンツを再生処理する情報再生処理部と、を備える。
【０００７】
上記構成によれば、情報配信サーバが、他のコンテンツのリンク情報を含むコンテンツを情報端末に送信し、受信した情報端末が、リンク情報を参照し、属性情報を付加して所望のコンテンツの配信要求を行うことにより、情報端末は、配信側が提供したいコンテンツの中からユーザが選択したコンテンツについて、ユーザに関わる属性情報を反映させて生成されたコンテンツを受信することが可能になる為、コンテンツ提供者の意図及びユーザの好みを反映させたコンテンツを受信することができる。
【０００８】
また、本発明の情報端末は、前記属性情報生成部が、前記情報記憶部が記憶するコンテンツのカテゴリ毎に評価した情報を参照して、ユーザに関わる評価情報を生成するものである。また、本発明の情報端末は、前記属性情報生成部が、前記情報記憶部が記憶する場所に関わる情報を参照して、ユーザに関わる評価情報を生成するものである。
【０００９】
上記構成によれば、属性情報生成部が、情報記憶部が記憶するコンテンツのカテゴリ毎に評価した情報又は場所に関わる情報を参照して、ユーザに関わる評価情報を生成することにより、ユーザに関わるコンテンツのカテゴリ毎の評価又は場所に関わる評価を反映させたコンテンツを受信することができる。
【００１０】
また、本発明の情報配信サーバは、他のコンテンツの所在を示すリンク情報と、属性情報の付加を要求する旨を示す要求情報と、を含むコンテンツを配信する情報配信部と、前記リンク情報に基づくコンテンツの配信要求を受信する要求受信部と、前記要求情報に基づいて前記配信要求に付加されたユーザに関わる属性情報の解析結果に基づいて、コンテンツを生成する情報生成部と、生成したコンテンツを、前記配信要求を送信した情報端末に送信する情報送信部と、を備える。
【００１１】
上記構成によれば、情報配信サーバが、他のコンテンツのリンク情報を含むコンテンツを情報端末に送信し、受信した情報端末が、リンク情報を参照し、属性情報を付加して所望のコンテンツの配信要求を行うことにより、情報配信サーバは、配信側が提供したいコンテンツの中からユーザが選択したコンテンツについて、ユーザに関わる属性情報を反映させたコンテンツを抽出して提供することができる為、コンテンツ提供者の意図及びユーザの好みを反映させたコンテンツの提供が可能となる。
【００１２】
また、本発明の情報配信サーバは、前記配信要求に付加されたユーザに関わる属性情報が、コンテンツのカテゴリに関わる情報であり、前記情報生成部が、前記カテゴリに関わる情報の解析結果に基づいて、コンテンツを生成するものである。また、本発明の情報配信サーバは、前記配信要求に付加されたユーザに関わる属性情報が、場所に関わる情報であり、前記情報生成部が、前記場所に関わる情報の解析結果に基づいて、コンテンツを生成するものである。
【００１３】
上記構成によれば、情報生成部が、コンテンツのカテゴリに関わる情報又は場所に関わる情報の解析結果に基づいて、コンテンツを生成することにより、ユーザに関わるコンテンツのカテゴリに関わる情報又は場所に関わる情報の評価を反映させたコンテンツの提供が可能となる。
【００１４】
さらに、本発明の情報配信方法は、情報配信サーバがコンテンツを情報端末に配信する情報配信方法であって、他のコンテンツの所在を示すリンク情報と、属性情報の付加を要求する旨を示す要求情報と、を含むコンテンツを受信した前記情報端末が送信した、前記リンク情報に基づくコンテンツの配信要求に付加されたユーザに関わる属性情報の解析結果に基づいて生成したコンテンツを、前記配信要求を送信した情報端末に送信するものである。
【発明の効果】
【００１５】
本発明によれば、情報配信サーバが、他のコンテンツのリンク情報を含むコンテンツを情報端末に送信し、受信した情報端末が、リンク情報を参照し、属性情報を付加して所望のコンテンツの配信要求を行うことにより、情報配信サーバは、配信側が提供したいコンテンツの中からユーザが選択したコンテンツについて、ユーザに関わる属性情報を反映させたコンテンツを生成して提供することができる為、コンテンツ提供者の意図及びユーザの好みを反映させたコンテンツの提供が可能となる。
【発明を実施するための最良の形態】
【００１６】
本発明の実施の形態について図面を参照して詳細に説明する。
【００１７】
本実施形態で説明する情報端末は、放送コンテンツの受信及び再生において、放送コンテンツに示されるリンク情報を基に別のコンテンツを取得する際に、情報配信サーバに評価情報を提供することにより、コンテンツ提供者の意図及びユーザの好みを反映させたコンテンツの提供を可能とするものである。情報端末として、携帯電話機、携帯情報端末、ノート型パーソナルコンピュータ、無線ＬＡＮや有線ＬＡＮにより構築されたネットワーク上のパーソナルコンピュータ等を用いる。
【００１８】
図１〜図９は、本発明の一実施形態を説明するための情報提供システムの説明図である。はじめに、図１を用いて、本実施形態の情報提供システムの構成について説明する。
【００１９】
図１に示す情報提供システム３５０は、データを送信する情報配信サーバ（放送サーバ）３００と、携帯電話機、ＰＤＡ（Personal Digital Assistant）等の複数の情報端末３０１〜３０３と、情報配信サーバ３００にインターネット３３０を経由してコンテンツを提供する複数の情報提供サーバ３１１〜３１３と、情報配信サーバ３００からのデータをコアネットワーク３２０を経由して受信し、このデータを情報端末３０１〜３０３に送信する基地局３２１〜３２３とを備えて構築されている。また、情報配信サーバ３００は、情報端末３０１〜３０３からの配信要求に基づき、所望の情報コンテンツを提供する機能を備えている。ここで、情報端末３０１〜３０３、情報提供サーバ３１１〜３１３、基地局３１１〜３１３のそれぞれの数は、本発明において、特に限定されるものではない。
【００２０】
次に、図２を用いて、情報端末３０１〜３０３の構成について説明する。図２は、本実施形態の情報端末のブロック図である。本実施形態の情報端末１００は、放送情報受信部１０１と、リンク情報解析部１０２と、評価情報生成部１０３と、情報記憶部１０４と、情報再生処理部１０５と、コンテンツ要求部１０８とを備えている。
【００２１】
放送情報受信部１０１は、放送的に配信される放送コンテンツと放送コンテンツの再生方法を示す再生制御情報とを含む放送情報の受信処理を行う。リンク情報解析部１０２は、放送情報に含まれる、他のコンテンツの所在を示すリンク情報と、そのリンク情報で示されるコンテンツを取得するときに属性情報の付加を要求する旨を示す要求情報とを抽出する。
【００２２】
評価情報生成部１０３は、リンク情報解析部１０２により抽出された要求情報に基づき、情報記憶部１０４に記憶するユーザに関わる属性情報を参照して、ユーザに関わる評価情報を生成する。情報記憶部１０４は、ユーザ属性情報やユーザ特性情報などのユーザに関わる情報を記憶する。情報再生処理部１０５は、放送情報および情報配信サーバ３００への要求に基づいて受信するコンテンツに関わる情報などの情報を再生処理する。
【００２３】
コンテンツ要求部１０８は、放送コンテンツに含まれる他のコンテンツの所在を示すリンク情報を参照してコンテンツを取得する際に、評価情報生成部１０３にて生成した評価情報を付加して、他のコンテンツの配信要求を行う。
【００２４】
次に、情報再生方法を図３を用いて説明する。情報端末１００は、ユーザに関わる情報として図４に示すユーザ嗜好情報を記憶している。この状態で、図５に示す放送情報を受信する場合の情報端末１００での処理を図３の処理フローを用いて説明する。
【００２５】
図４に示すユーザ嗜好情報は、カテゴリ情報と評価値との組から構成される情報であり、カテゴリ情報は、「スポーツ」、「芸能」、及び「経済」からなり、それぞれの評価値は、「１０」、「８」、及び「４」である。
【００２６】
図５に示す放送情報６００は、レイアウト情報６１０と再生コンテンツ情報６２０とから構成される。レイアウト情報６１０は、第一の表示領域情報６３１と第二の表示領域情報６３２とからなる。再生コンテンツ情報６２０は、＜ｐａｒ＞と＜／ｐａｒ＞に囲まれる三つのコンテンツ情報６４１，６４２，６４３が参照するコンテンツを同時に再生することを示す。コンテンツ情報６２０は、音情報６４１と、テキストベース情報６４２と、このコンテンツの所在が「broadcastServer」であることを示すリンク情報６４３とを含む。
【００２７】
音情報６４１は、データ名が「AudioContent」で識別される放送情報に含まれる情報である。テキストベース情報６４２は、データ名が「baseContent」で識別される放送情報に含まれる情報である。テキストベース情報６４２は、「ｒｅｇｉｏｎ＝”ａ”」の情報により、「ｉｄ＝”ａ”」で示される第一の表示領域６３１に表示されることを示す。リンク情報６４３が含む属性要求情報６５１は、「broadcastServer」へのアクセス時に、カテゴリ（「category」）に関する評価情報を付加してメディア要求することを示す情報である。リンク情報６４３に基づいて取得されるコンテンツは、「ｒｅｇｉｏｎ＝”ｂ”」の情報により、「ｉｄ＝”ｂ”」で示される第二の表示領域６３２に表示される。
【００２８】
図３に示すように、ステップＳ２０１において、放送情報受信部１０１は、放送情報６００を受信する。ステップＳ２０２において、リンク情報解析部１０２は、受信した放送情報６００から、他のコンテンツの所在を示すリンク情報６４３を抽出する。ステップＳ２０３において、リンク情報解析部１０２は、リンク情報６４３から属性要求情報６５１を抽出し、リンク情報６４３に基づくコンテンツ配信要求に際し、「requestValuation」により、評価情報の付加が要求されることと、その評価情報はカテゴリ「category」に関わる情報であることを検出する。
【００２９】
ステップＳ２０４において、評価情報生成部１０３は、属性要求情報６５１に基づき、カテゴリ情報の評価情報を生成する。評価情報生成部１０３は、情報記憶部１０４が記憶する図４に示すユーザ嗜好情報をカテゴリ情報の評価値として参照することにより評価値を生成する。つまり、「スポーツ」、「芸能」、および「経済」のそれぞれの評価値が「１０」、「８」、および「４」となる。ステップＳ２０５において、コンテンツ要求部１０８は、評価情報生成部１０３で生成した評価情報を予め取り決めた所定の形式で付加して、情報配信サーバ３００へコンテンツの配信要求を行う。
【００３０】
図６は、コンテンツの配信要求のデータ例である。配信要求は、メディア識別情報７１０と評価情報７２０とを含む情報である。メディア識別情報７１０は、配信要求するコンテンツの参照アドレスを示す情報である。評価情報７２０は、ステップＳ２０４において、評価情報生成部１０３が生成した情報である。
【００３１】
ステップＳ２０６において、メディア要求部１０８は、情報配信サーバ３００より、ステップＳ２０５での配信要求に対応するコンテンツを受信する。なお、情報配信サーバ３００の処理については、後述する。ステップＳ２０７において、情報再生処理部１０５は、音情報６４１、テキストベース情報６４２およびステップＳ２０６にて新規に取得したコンテンツの再生処理を行う。
【００３２】
図７は、情報再生処理部１０５により再生されるコンテンツの表示例である。音情報６４１は、スピーカ４１０により出力される。テキストベース情報６４２にて参照されるコンテンツは、第一の表示領域４２０に表示される。ステップＳ２０６にて新規に取得したコンテンツは、第二の表示領域４３０に表示される。評価情報を付加して配信要求を行ったことにより、第二の表示領域４３０において、ユーザにとって最も優先順位が高いと評価されたスポーツ情報が優先して表示される。
【００３３】
次に、放送コンテンツを配信すると共に、ステップＳ２０５の配信要求に対して、ステップＳ２０６での配信要求に応答する情報配信サーバ３００のメディア提供処理について、図８の構成図、および図９の処理フローを用いて説明する。
【００３４】
まず、図８を用いて、情報配信サーバ３００の構成について説明する。情報配信サーバ３００は、放送要求受付部８０１と、放送情報生成部８０２と、放送情報送信部８０３と、コンテンツ要求受信部８０４と、コンテンツ生成部８０５と、コンテンツ送信部８０６とで構成される。
【００３５】
放送要求受付部８０１は、情報提供サーバ３１１〜３１３から送信される放送要求（放送コンテンツの配信要求）および放送コンテンツを受信する。放送情報生成部８０２は、放送コンテンツの再生方法を示す再生制御情報を生成する。放送情報生成部８０２は、後述する評価要求情報を含めて再生制御情報を生成する。
【００３６】
放送情報送信部８０３は、情報提供サーバ３１１〜３１３からの配信要求に基づいて生成した放送情報を、基地局３２１〜３２３を介して情報端末３０１〜３０３に配信する。  メディア要求受信部８０４は、情報端末３０１〜３０３からのコンテンツの配信要求を受信する。コンテンツ生成部８０５は、コンテンツ要求受信部８０４が受信した配信要求に基づき、新たにコンテンツを生成または抽出する。つまり、コンテンツ生成部８０５は、配信要求に含まれるユーザに関わる情報である評価情報を参照して、ユーザ特性に応じたコンテンツを生成または抽出する。コンテンツ送信部８０６は、配信要求を行った情報端末に対して、生成したコンテンツを送信する。
【００３７】
次に、図９を用いて、情報配信サーバ３００の情報提供方法について説明する。ステップＳ９０１において、情報配信サーバ３００は、情報提供サーバ３１１〜３１３から放送要求を受信する。ステップＳ９０２において、放送情報生成部８０２は、放送情報を生成する。放送情報は、放送コンテンツに加えて、コンテンツの再生方法を示す再生制御情報を含む情報である。放送情報生成部８０２は、放送コンテンツを受信したユーザの評価情報を要求することを示す要求情報６５１を含めて放送情報６００を生成する。放送情報生成部８０２は、放送情報から、ユーザにとってより重要なコンテンツを抽出するために必要な評価情報は何であるかを判断し、その評価情報を要求する旨を示す要求情報６５１を含めて放送情報６００を生成する。
【００３８】
ステップＳ９０３において、放送情報送信部８０３は、放送情報を基地局３２１〜３２３を介して情報端末３０１〜３０３に配信する。ステップＳ９０４において、コンテンツ要求受信部８０４は、情報端末３０１〜３０３よりコンテンツの配信要求を受信する。例えば、情報端末３０１より、前述の図６に示す評価値付き配信要求を受信する。
【００３９】
ステップＳ９０５において、コンテンツ生成部８０５は、コンテンツ識別情報７１０にて参照するコンテンツ群の中から、ユーザの評価情報７２０に基づき、優先順をつけて、表示順位を再構成する。具体的には、評価値の高い「スポーツ」に関わる情報を最優先として、リストの上位とする。
【００４０】
ステップＳ９０６において、コンテンツ送信部８０６は、ユーザの評価情報７２０に基づいて再構成（生成）したコンテンツを、配信要求を送信した情報端末３０１に送信する。なお、コンテンツを受信した情報端末３０１において、図７の第二の表示領域４３０に示すように「スポーツ」に関わる情報を優先して表示される。
【００４１】
以上説明したように、本実施形態の情報提供システムによれば、情報配信サーバ３００が、他のコンテンツのリンク情報を含むコンテンツを情報端末３０１〜３０３に送信し、受信した情報端末３０１が、リンク情報を参照し、ユーザに関わる評価情報を付加して所望のコンテンツの配信要求を行うことにより、情報配信サーバ３００は、情報提供サーバ３１１〜３１３が提供したいコンテンツの中からユーザが選択したコンテンツについて、ユーザに関わる属性情報を反映させて再構成したコンテンツを提供することができる為、コンテンツ提供者の意図及びユーザの好みを反映させたコンテンツの提供が可能となる。
【００４２】
なお、本実施形態では、評価情報の例として、カテゴリ情報に対する評価値を用いる場合を示したが、これに限らず、評価情報として、最優先するカテゴリ情報のみとしても良い。または、ユーザが必要としない情報を通知するようにしても良い。
【００４３】
なお、本実施の形態では、属性要求情報６５１のユーザに関わる情報として、カテゴリ情報を用いる例を示したが、これに限らず、ユーザに関わる情報として、端末の現在位置情報や、端末が記憶するスケジュール情報に含まれる位置情報等といった場所に関わる情報を用いても良い。例えば、属性要求情報６５１の「category」の代わりに「place」とすることにより、情報端末は場所に関わる情報の配信要望を情報配信サーバへ伝えることが可能となる。なお、情報端末における場所情報に関する評価については、現在位置を考慮すると共に、スケジュール情報の行動予定や、過去の移動情報を考慮する等、情報端末において、評価を行うことが可能であり、詳細なプライベート情報を情報配信サーバへ必ずしも送る必要はない。
また、属性要求情報６５１において、カテゴリや場所に関する候補情報を情報配信サーバから情報端末に送信するようにしても良い。このことにより、情報配信者が配信希望する情報の特徴を、より捉えて、情報配信することが可能となる。
【産業上の利用可能性】
【００４４】
本発明は、情報配信サーバが、他のコンテンツのリンク情報を含むコンテンツを情報端末に送信し、受信した情報端末が、リンク情報を参照し、属性情報を付加して所望のコンテンツの配信要求を行うことにより、情報配信サーバは、配信側が提供したいコンテンツの中からユーザが選択したコンテンツについて、ユーザに関わる属性情報を反映させて生成したコンテンツを提供することができる為、コンテンツ提供者の意図及びユーザの好みを反映させたコンテンツの提供が可能となる効果を有し、放送的にコンテンツを配信する情報配信サーバ等に有用である。
【図面の簡単な説明】
【００４５】
【図１】本発明の一実施形態を説明するための情報提供システムの構成図
【図２】本発明の一実施形態を説明するための情報端末のブロック図
【図３】放送情報受信時の情報端末の処理方法を説明するフローチャート
【図４】本発明の一実施形態に係るユーザ嗜好情報の一例を示す図
【図５】本発明の一実施形態に係る再生制御情報の一例を示す図
【図６】本発明の一実施形態に係るコンテンツの配信要求のデータ例を示す図
【図７】本発明の一実施形態に係る放送情報の表示の一例を示す図
【図８】本発明の一実施形態を説明するための情報配信サーバの構成図
【図９】本発明の一実施形態を説明するための情報配信方法を説明するフローチャート
【符号の説明】
【００４６】
１００，３０１，３０２，３０３  情報端末
１０１  放送情報受信部
１０２  リンク情報解析部
１０３  評価情報生成部
１０４  情報記憶部
１０５  情報再生処理部
１０８  コンテンツ要求部
３００  情報配信サーバ
３１１，３１２，３１３  情報提供サーバ
３２０  コアネットワーク
３２１，３２２，３２３  基地局
３３０  インターネット
８０１  放送要求受付部
８０２  放送情報生成部
８０３  放送情報配信部
８０４  コンテンツ要求受信部
８０５  コンテンツ生成部
８０６  コンテンツ送信部
【図１】
2006119873.tif 000003
【図２】
2006119873.tif 000004
【図３】
2006119873.tif 000005
【図４】
2006119873.tif 000006
【図５】
2006119873.tif 000007
【図６】
2006119873.tif 000008
【図７】
2006119873.tif 000009
【図８】
2006119873.tif 000010
【図９】
2006119873.tif 000011